(57)【特許請求の範囲】
【請求項１】
ワイヤレス通信ネットワーク（４００）において複数のワイヤレス通信パラメータを設定する方法であって、
ネットワーク・エンティティ（１０４）によって、第１のセルにおける前記複数のワイヤレス通信パラメータのうちの第１のパラメータを設定するステップ（１０６）であって、前記第１のパラメータが第１の期間の間、固定であり、固定である前記第１のパラメータは自己組織化ネットワークのアルゴリズムによって変更することができず、前記第１の期間の後、前記第１のパラメータは前記アルゴリズムによって変更され得る、ステップと、
前記第１のセルおよび前記第１のパラメータに依存する少なくとも１つの第２のセルのうちの少なくとも一方における前記複数のワイヤレス通信パラメータのうちの少なくとも１つの第２のパラメータを最適化するためのアルゴリズムを実行するステップ（１１０；２０６）と
を含む方法。
【請求項２】
前記第１のパラメータは、前記ネットワーク・エンティティが前記第１のパラメータをリセットするまでだけ固定である、請求項１に記載の方法。
【請求項３】
前記第１のパラメータの設定は、以前に前記第１のパラメータに設定されていた任意の他の設定を却下する（１０６）、請求項１または２に記載の方法。
【請求項４】
前記第１のセルは、前記第１のパラメータを示す第１の信号（１１４）を前記少なくとも１つの第２のセルに送信する、請求項１乃至３のいずれか１項に記載の方法。
【請求項５】
前記第１のセルおよび前記少なくとも１つの第２のセルのうちの少なくとも一方における前記少なくとも１つの第２のパラメータを最適化するための前記アルゴリズムは、前記第１のセルにおいて実行される、請求項１乃至４のいずれか１項に記載の方法。
【請求項６】
前記少なくとも１つの第２のセルは、前記第１のパラメータを変更することを示す第２の信号（２００）を前記第１のセルに送信する、請求項１乃至５のいずれか１項に記載の方法。
【請求項７】
前記第１のセルは、前記第２の信号に応答して、前記第１のパラメータを変更しないことを示す第３の信号（２０４）を前記少なくとも１つの第２のセルに送信し、前記第２のセルは、固定である前記第１のパラメータについての情報を記憶し、前記第１のパラメータに依存する前記アルゴリズムを再実行する、請求項６に記載の方法。
【請求項８】
前記第１のセルは、前記第２の信号を受信した後、前記第１のパラメータを変更せず、前記第２のセルは、固定である前記第１のパラメータについての情報を記憶し、前記第１のパラメータに依存する前記アルゴリズムを再実行する、請求項６に記載の方法。
【請求項９】
前記第１のパラメータおよび前記少なくとも１つの第２のパラメータのうちの少なくとも一方は、前記第１のセルにおけるワイヤレス通信に使用されていないまたは制限された送信電力で使用されている様々な物理リソースブロックもしくは様々な周波数、前記第１のセルおよび前記少なくとも１つの第２のセルのうちの少なくとも一方の基地局のアンテナチルト、または、トリガするまでの時間、またはセル個別オフセット、またはアンテナもしくは基地局の送信電力という、前記第１のセルと前記少なくとも１つの第２のセルとの間のワイヤレス端末のハンドオーバ手順のためのパラメータである、請求項１乃至８のいずれか１項に記載の方法。
【請求項１０】
前記第１のパラメータは、前記アルゴリズムの出発点として使用され、前記アルゴリズムは、前記第１のパラメータも最適化する、請求項１に記載の方法。
【請求項１１】
ワイヤレス通信ネットワークにおける基地局装置（１００；１０２）であって、基地局は、第１のパラメータに依存する複数のワイヤレス通信パラメータのうちの少なくとも１つのパラメータを最適化するためのアルゴリズムを実行するための手段（４０６）を含み、前記第１のパラメータは、ネットワーク・エンティティ（１０４）によって設定されており、前記第１のパラメータは、第１の期間の間、固定であり、固定である前記第１のパラメータは前記アルゴリズムによって変更することができず、前記第１の期間の後、前記第１のパラメータは前記アルゴリズムによって変更され得る、基地局装置（１００；１０２）。
【請求項１２】
請求項１１による基地局装置によって実行されるときに、ワイヤレス通信ネットワークにおいて複数のワイヤレス通信パラメータを設定する方法を前記基地局装置に実行させる命令を含むコンピュータ可読記憶媒体（４０８）であって、前記方法は、第１のパラメータに依存する複数のワイヤレス通信パラメータのうちの少なくとも１つのパラメータを最適化するためのアルゴリズムを実行するステップを含み、前記第１のパラメータは、ネットワーク・エンティティによって設定されており、前記第１のパラメータは、第１の期間の間、固定であり、固定である前記第１のパラメータは前記アルゴリズムによって変更することができず、前記第１の期間の後、前記第１のパラメータは前記アルゴリズムによって変更され得る、コンピュータ可読記憶媒体（４０８）。
【請求項１３】
請求項１１に記載の少なくとも２つの基地局と、１つのネットワーク・エンティティとを含むワイヤレス通信システム（４００）。
【発明の詳細な説明】
【技術分野】
【０００１】
本発明はワイヤレス通信の分野に関し、より詳細には、ワイヤレス通信における自己組織化ネットワークに関する。
【背景技術】
【０００２】
自己組織化ネットワークでは、ワイヤレス通信ネットワークの基地局、セルおよび／または中央エンティティによって、ワイヤレス通信のパラメータを適合させることができる。ワイヤレス通信ネットワークにおけるワイヤレス通信には、人の介入は必要ない。
【０００３】
欧州特許出願公開第２１６６７９６号は、通信ネットワークの第１の基地局と第２の基地局との間のユーザ機器のハンドオーバを制御するためのパラメータ値を調整するための方法を開示している。この方法は、ネットワークの所望の公称動作状態についてのポリシー情報をオペレータによって第１の基地局および第２の基地局に提供するステップと、提供されたポリシー情報に基づいて、ハンドオーバを実行するための第１の最適化されたパラメータ値および第２の最適化されたパラメータ値を決定するステップと、第１の基地局と第２の基地局との間で情報メッセージを送信するステップであって、情報メッセージが第１の最適化されたパラメータ値および／または第２の最適化されたパラメータ値の意図された変更を示す、ステップと、送信された情報メッセージに基づいて協調的な方法で、第１の基地局によって第１の最適化されたパラメータ値を調整するおよび／または第２の基地局によって第２の最適化されたパラメータ値を調整するステップとを含む。さらに、基地局および記載された方法をそれぞれ実行し、制御するためのコンピュータプログラムについて記載されている。
【０００４】
米国特許出願公開第２００４／０２６６４４２号は、ネットワーク内の特定のエンティティの関連するキー・パフォーマンス・インジケータならびにキー・パフォーマンス・インジケータに影響を及ぼす第１のパラメータを決定するための方法を開示している。前記特定のエンティティに類似したいくつかのエンティティが選択され、関連するキー・パフォーマンス・インジケータは、全てのエンティティに関連付けられる。キー・パフォーマンス・インジケータならびに選択された数のエンティティは第１のコスト関数における要素として使用される、すなわち、前記第１のコスト関数はＫＰＩおよびエンティティの数に基づいて計算される。前記第１のコスト関数は、ネットワーク・パフォーマンスを評価するために計算される。したがって、前記第１のパラメータはキー・パフォーマンス・インジケータに直接関係するので、ネットワーク・パフォーマンスは前記第１のパラメータの値に依存する。その後、前記第１のパラメータの第２の組の値が得られるように、前記第１のパラメータの値が調整される。キー・パフォーマンス・インジケータが再び決定されるが、今度は、前記第１のパラメータの第２の値に基づき、前記第１のコスト関数はこれらのキー・パフォーマンス・インジケータに基づいて再計算される。前記第１のパラメータの前記第１の値に基づいて計算された前記第１のコスト関数の結果は、前記第１のパラメータの前記第２の値に基づいて再計算された前記第１のコスト関数の結果と比較される。この比較は、ネットワーク・パフォーマンスが改善したかどうかを判定するために実行される。前記第１のパラメータを調整することによってネットワーク・パフォーマンスが改善した場合、前記第１のパラメータの前記第２の値が恒久的なパラメータとして採用される。
【先行技術文献】
【特許文献】
【０００５】
【特許文献１】欧州特許出願公開第２１６６７９６号
【特許文献２】米国特許出願公開第２００４／０２６６４４２号
【発明の概要】
【発明が解決しようとする課題】
【０００６】
本発明の目的は、ワイヤレス通信ネットワークにおいて複数のワイヤレス通信パラメータを設定する改善された方法、改善された基地局装置、改善されたコンピュータ可読記憶媒体、および改善されたワイヤレス通信システムを提供することである。この目的は、独立請求項による方法、基地局装置、コンピュータ可読記憶媒体、およびワイヤレス通信システムによって達成される。本発明の実施形態は、従属請求項において与えられる。
【課題を解決するための手段】
【０００７】
本発明は、ワイヤレス通信ネットワークにおいて複数のワイヤレス通信パラメータを設定する方法を提供する。この方法は、ネットワーク・エンティティによって、第１のセルにおける複数のワイヤレス通信パラメータのうちの第１のパラメータを設定する第１のステップを含む。ネットワーク・エンティティは、例えば、ワイヤレス通信ネットワークの運用保守センタ（ｏｐｅｒａｔｉｏｎ  ａｎｄ  ｍａｉｎｔｅｎａｎｃｅ  ｃｅｎｔｒｅ）または基地局またはワイヤレス通信インフラの任意の他のエンティティであってもよい。第１のパラメータは、手動でまたは自動的に設定され得る。この設定ステップは、例えば、ネットワーク・オペレータによって実行され得る。ネットワーク・オペレータは、自己組織化ネットワークによって見出された対応するパラメータは最適なパラメータではない場合があるので、ワイヤレス通信ネットワークの自己組織化構造とは無関係に第１のパラメータを設定したいと望むことがあり、および／またはネットワーク・オペレータは、別のパラメータがワイヤレス通信ネットワークにおけるワイヤレス通信を改善するかどうかをテストしたいと望むことがある。
【０００８】
次いで、第１のセルおよび／または第１のパラメータに依存する少なくとも１つの第２のセルにおける複数のワイヤレス通信パラメータのうちの少なくとも１つの第２のパラメータを最適化するためのアルゴリズムが実行される。言い換えれば、第１のパラメータは、少なくとも１つの第２のパラメータを最適化するための、ネットワークの自己組織化アルゴリズムの基準として使用される。少なくとも１つの第２のパラメータは、第１のパラメータと同じセルにおけるパラメータまたは第１のセルとは異なるセルにおけるパラメータであってもよいことに留意されたい。
【０００９】
この方法により、ネットワーク・オペレータは、ワイヤレス通信ネットワークにおけるパラメータを手動で変更することができる。これは、ネットワーク・エラーが発生し、自己組織化ネットワークがこれらのエラーに関する問題を解決することができないときに有利であり得る。人は、パラメータを自己組織化ネットワークによって見出されなかった特定の値に設定することによって、そのような問題を解決することができる可能性がある。第１のパラメータが設定された後、ネットワークは、自己組織化アルゴリズムを実行することによって、他のパラメータを再び最適化する。したがって、ネットワーク・オペレータは、特定のパラメータを構成したいと望む場合、および／またはネットワーク問題があり、その後、ネットワークが再び自己組織した場合に介入することができる。
【００１０】
本発明の実施形態によれば、第１のパラメータは固定パラメータである。これは、ネットワーク・エンティティによって設定された後に、第１のパラメータを自己組織化ネットワークのアルゴリズムによって変更することができないということを意味する。言い換えれば、第１のパラメータは、少なくとも１つの第２のパラメータを最適化するためのアルゴリズムによって変更することができない。
【００１１】
本発明の実施形態によれば、第１のパラメータは第１の期間の間だけ固定である。これは、第１のパラメータは、第１の期間の後はもはや固定ではなく、ワイヤレス通信ネットワークにおけるパラメータを最適化するためのアルゴリズムによって変更され得るということを意味する。これは、しばらく経つとネットワーク状態が変化する場合があるので、有利であり、第１のパラメータを固定したままにする代わりに、自己組織化ネットワークのアルゴリズムによって第１のパラメータを変更することは、有利であり得る。
【００１２】
本発明の実施形態によれば、ネットワーク・エンティティに、優先度の高いＳＯＮアルゴリズムによって第１のパラメータを設定させることができる。言い換えれば、優先度の高いＳＯＮアルゴリズムは第１のパラメータを設定することができ、その後、第１のパラメータを優先度の低いＳＯＮアルゴリズムによって変更することができない。本明細書に記載の少なくとも１つの第２のパラメータを最適化するためのアルゴリズムは、例えば、そのような優先度の低いＳＯＮアルゴリズムである。本発明の実施形態によれば、第１のパラメータは、ネットワーク・エンティティによってトリガ条件を有する固定値に設定される。このトリガ条件が満たされると、第１のパラメータの状態が「固定」から「非固定」に変更される。非固定パラメータは、任意のＳＯＮアルゴリズムによって変更され得る。言い換えれば、満たされたトリガ条件についてネットワーク・エンティティが通知を受けると、第１のパラメータの状態が変更され得る。言い換えれば、第１のパラメータは、ネットワーク・エンティティが第１のパラメータをリセットするまでだけ固定である。
【００１３】
これは、第１のパラメータは何らかの理由で設定されており、ＳＯＮはこの理由について知らないので、有利である。したがって、第１のパラメータを固定パラメータとして設定したそのネットワーク・エンティティだけがパラメータ状態を変更することができることが有利である。ネットワーク・エンティティは、なぜ第１のパラメータが設定されたかを知っており、また、ネットワーク・エンティティは、第１のパラメータを再び変更するのに有利であり得るのはいつかを知っている。
【００１４】
本発明の実施形態によれば、第１のパラメータの設定は、以前に第１のパラメータに設定されていた任意の他の設定を却下する。言い換えれば、如何なる制限もなしにおよび／または以前に自己組織化ネットワークによって手動でまたは自動的に設定されていた他の設定に関係なく、第１のパラメータを手動でまたは自動的に設定することができる。
【００１５】
本発明の実施形態によれば、第１のセルは、第１の信号を少なくとも１つの第２のセルに送信する。第１の信号は、第１のパラメータを示す。したがって、少なくとも１つの第２のセルは第１のパラメータについて知り、少なくとも１つの第２のパラメータを最適化するためのアルゴリズムを実行することができる。アルゴリズムが少なくとも１つの第２のセルで実行されているとしても、アルゴリズムは、第１のパラメータを除き、第１のセルのパラメータを変更するように適合される。加えて、第１の信号は第１のパラメータが固定であることを示すことができる。この場合、少なくとも１つの第２のセルは、第１のパラメータを、少なくとも１つの第２のパラメータを最適化するためのアルゴリズムによって変更することができないことを知っている。また、これは少なくとも１つの第２のパラメータを最適化するために考慮される。さらに、第１の信号は第１の期間を示すこともできる。したがって、第２のセルは、いつ第１のパラメータが自己組織化ネットワークのアルゴリズムによって再び変更され得るかを知っている。
【００１６】
本発明の実施形態によれば、第１のセルおよび／または少なくとも１つの第２のセルにおける少なくとも１つの第２のパラメータを最適化するためのアルゴリズムは、第１のセルにおいて実行される。これは、第１の信号を少なくとも１つの第２のセルに送信する必要がないので、有利である。第１のセルは第１のパラメータについて、また、第１のパラメータが固定であることを知っており、少なくとも１つの第２のパラメータを最適化するためのアルゴリズムのためにこれを考慮する。アルゴリズムは、第１のセルおよび／または少なくとも１つの第２のセルにおけるパラメータを最適化することができることに留意されたい。アルゴリズムが実行される場所は、アルゴリズムのために考慮したパラメータを限定しない。第１のセルにおいてアルゴリズムを直接実行するさらなる利点は、アルゴリズムが次いで、いくつかの周囲のセルのローカルエリアを最適化することができるということである。周囲のセルは全て、固定の第１のパラメータによって直接影響される可能性があるセルである。したがって、第１のセルにおけるパラメータ最適化手順は、いくつかの影響を受けた周囲のセルのパラメータを首尾よく適合させることを既に実現することができる。
【００１７】
本発明の実施形態によれば、少なくとも１つの第２のセルは、第２の信号を第１のセルに送信する。第２の信号は、第１のパラメータを変更することを示す。第２の信号が第１のセルに送信される前に、第２のセルは、少なくとも１つの第２のパラメータを最適化するためのアルゴリズムを実行することによって、第１のパラメータが変更されることを決定している。第２のセルは、第１のパラメータが固定パラメータであることが第２のセルに知られていないときだけ、このステップを実行する。こうした場合があり得るのは、例えば、第１のセルが第１の信号を第２のセルに送信していないためまたは第２のセルが第１のセルから第１の信号を受信しなかったためである。第１のセルは、第２の信号に応答して、第３の信号を少なくとも１つの第２のセルに送信する。第３の信号は、第１のパラメータを変更しないことを示す。第２のセルは、固定である第１のパラメータについての情報を記憶し、第１のパラメータに依存するアルゴリズムを再実行する。言い換えれば、第１のセルは、第１のパラメータが固定であることを第２のセルに伝え、第２のセルは、第１のパラメータが固定であることを考慮してアルゴリズムを再実行しなければならない。通常、隣接基地局のパラメータは互いに依存するので、再実行されたアルゴリズムの結果は複数のパラメータによって異なり得る。
【００１８】
本発明の実施形態によれば、第１のセルは、第２の信号を受信した後、第１のパラメータを変更しない。第２のセルは、固定である第１のパラメータについての情報を記憶し、第１のパラメータに依存するアルゴリズムを再実行する。この実施形態では、第１のセルは、第２のセルからの第２の信号に反応しない。第１のパラメータが変更されるというメッセージが第１のセルから受信されないので、第２のセルは、第１のセルが第１のパラメータを変更しないことに気付く。また、第１のセルおよび第２のセルは、そのパラメータについての情報を定期的に交換することができる。そのような定期的なパラメータ更新が第２のセルによって第１のセルから受信されると、第２のセルは、第１のセルが第１のパラメータを変更しなかったことを知っている。第１のパラメータを変更しない第１のセルに対する第２のセルの反応は、いずれの場合（第３の信号がある場合または第３の信号がない場合）も、類似している。第２のセルは第１のパラメータが固定パラメータであることを知っており、第１のパラメータが固定であるという事実を考慮してアルゴリズムを再実行する。
【００１９】
言い換えれば、第１のセルは第２のセルに固定の第１のパラメータを通知しない、または第２のセルは第１のセルにおける第１のパラメータが固定であるという情報を（何らかの理由で）受信していない。しかし、第１のパラメータが固定であるという事実は、後に第２のセルによって推論または仮定される。第２のセルによる第１のパラメータの示された変更の後、第１のセルは第１のパラメータが変更されることを第２のセルに示さない。したがって、そのような指摘が第２のセルによって受信されないので、第２のセルは、第１のセルが第１のパラメータを変更しなかったことを知っている。次いで、第２のセルは、固定である第１のパラメータについての情報を記憶する。したがって、第２のセルによって第１のセルから通知が受信されなくても、第１のパラメータが固定であるという事実が第２のセルによって気付かれる。
【００２０】
これは以下のように説明することもできる。
【００２１】
第２のセルは、第１のセルがその第１のパラメータを変更することができないことを知らない。次いで、第２のセルは、第１のセルがその第１のパラメータを変更するというメッセージを第１のセルに送る。しかし、次いで、第１のセルは第２のセルが予想していたそのアクションを実行しない、すなわち、第１のセルは要求通りに第１のパラメータを変更しない。第１のセルのこの予想していなかった挙動は、例えば、パラメータ変更確認メッセージが実装されたプロトコルの一部であるが失われている場合、または第１のセルに実装された機能が見当たらないために確認メッセージが実施されない場合に、第２のセルがそのような確認メッセージを第１のセルから受信しないと、第２のセルによって気付かれ得る、および／または第２のセルは、次のパラメータ情報メッセージ内で第１のセルにおける第１のパラメータの設定についての情報を取得する。そのような観察に基づいて、第２のセルは次いで、要求されたパラメータ変更が実行されていないことを検出する。次いで、第２のセルは、第１のセルはその第１のパラメータを変更することができないと仮定し、将来のパラメータ最適化アクションのためにこの状況を考慮する。一定の時間の後に、第２のセルはこの行われた仮定を再評価するまたは再チェックする可能性がある。
【００２２】
あるいは、第１のセルおよび第２のセルは、そのパラメータについての情報を定期的に交換する。この場合、第２のセルは、そのような定期的な情報が受信されると、第１のセルが第１のパラメータを変更しなかったことに気付く。
【００２３】
本発明の実施形態によれば、第２のセルは、第２の期間の後に第２の信号を再送する。第２の期間は序数の意味での２番目の期間であることに留意されたい。これは、第１のパラメータが依然として固定であるか、または第１のパラメータがその状態を非固定パラメータに変更したかをテストするのに有利である。あるいはまたは加えて、第１のセルは、いつ第１のパラメータがその状態を非固定パラメータに変更したかを第２のセルに通知する。
【００２４】
本発明の実施形態によれば、第１のパラメータおよび／または少なくとも１つの第２のパラメータは、第１のセルにおけるワイヤレス通信に使用されていないまたは制限された送信電力で使用されている様々な物理リソースブロックもしくは様々な周波数、第１のセルおよび／もしくは少なくとも１つの第２のセルの基地局のアンテナチルト、または、トリガするまでの時間、セル個別オフセット、またはアンテナもしくは基地局の送信電力などの、第１のセルと少なくとも１つの第２のセルとの間のワイヤレス端末のハンドオーバ手順のためのパラメータである。
【００２５】
本発明の実施形態は、ワイヤレス通信ネットワークにおける任意のパラメータに適用され得る。
【００２６】
本発明の実施形態によれば、第１のパラメータは、アルゴリズムの出発点として使用される。このアルゴリズムは、第１のパラメータも最適化する。言い換えれば、第１のパラメータは、ネットワーク・エンティティによって、第１のパラメータに対する提案またはパラメータ範囲として設定される。このアルゴリズムは次いで、この第１のパラメータから自己組織化ネットワークの最適化を開始し、第１のパラメータに対してネットワーク・エンティティによって設定された第１のパラメータとは異なる別の値を決定することもできる。
【００２７】
別の態様では、本発明は、ワイヤレス通信ネットワークにおける基地局装置に関する。基地局装置は、第１のパラメータに依存する複数のワイヤレス通信パラメータのうちの少なくとも１つのパラメータを最適化するためのアルゴリズムを実行するための手段を含む。第１のパラメータは、ネットワーク・エンティティによって設定されている。
【００２８】
別の態様では、本発明は、本発明の実施形態による基地局装置によって実行されるときに、ワイヤレス通信ネットワークにおいて複数のワイヤレス通信パラメータを設定する方法を基地局装置に実行させる命令を含むコンピュータ可読記憶媒体に関する。この方法は、第１のパラメータに依存する複数のワイヤレス通信パラメータのうちの少なくとも１つのパラメータを最適化するためのアルゴリズムを実行するステップを含む。第１のパラメータは、ネットワーク・エンティティによって設定されている。
【００２９】
さらに別の態様では、本発明は、本発明の実施形態による少なくとも２つの基地局と、１つのネットワーク・エンティティとを含むワイヤレス通信システムに関する。
【００３０】
以下で、図面を参照しながら、本発明の好ましい実施形態について、例のみとして説明する。
【図面の簡単な説明】
【００３１】
【図１】第１のパラメータがネットワーク・エンティティによって固定パラメータとして設定される、ワイヤレス通信ネットワークの概略図である。
【図２】第１の基地局が第１の固定パラメータを変更しようと試みる、ワイヤレス通信ネットワークの概略図である。
【図３】第２の基地局が第１の基地局の第１の固定パラメータを変更しようと試み、第１の基地局がそのパラメータを変更せず、エラーメッセージを第２の基地局に送信しない、ワイヤレス通信ネットワークの概略図である。
【図４】２つの基地局と、１つのネットワーク・エンティティとを含むワイヤレス通信システムのブロック図である。
【発明を実施するための形態】
【００３２】
これらの図における番号が付けられた同様の要素は同一の要素であるか、同じ機能を実行する。機能が同一である場合、以前に説明された要素は必ずしも後出の図において説明されるわけではない。
【００３３】
図１は、第１のセルにサービス提供する第１の基地局１００および第２のセルにサービス提供する第２の基地局１０２を有するワイヤレス通信システムの概略図である。ネットワーク・エンティティ１０４、例えば、運用保守センタも、ワイヤレス通信ネットワークに含まれる。第１の基地局１００および第２の基地局１０２は、ワイヤレス通信システムのワイヤレス端末と通信し、この通信について調整可能ないくつかのパラメータを有する。そのようなパラメータは、例えば、それぞれのセルにおいてワイヤレス通信に使用されていない様々な物理リソースブロックまたは様々な周波数とすることができる。これは、隣接セルがその境界領域におけるワイヤレス通信にこれらのリソースブロックまたは周波数の範囲を使用することができるので、有利である。調整可能な他のパラメータは、例えば、基地局のアンテナチルト、トリガするまでの時間、またはセル個別オフセット、または基地局のアンテナの送信電力などの、ワイヤレス端末のハンドオーバ手順のためのパラメータとすることができる。
【００３４】
一般に、ワイヤレス通信システムは自己組織化ネットワーク（ＳＯＮ）であり、このことは、第１の基地局１００および第２の基地局１０２のパラメータが、以下を例外として、ネットワーク自体によって調整されるということを意味する。ネットワーク・エンティティ１０４は、ネットワーク・エンティティ１０４から第１の基地局１００に第１のメッセージ１０６を送信することによって、第１の基地局１００の第１のパラメータを設定する。これは一般的なＳＯＮ手順に反している。次いで、第１の基地局１００は、ステップ１０８で、対応するパラメータを第１のメッセージ１０６に示された値に変更する。例えば、第１のメッセージ１０６は、第１のセルにおけるワイヤレス通信に第１の範囲の周波数を使用しないことを示し、第１の基地局は、第２の範囲の周波数が第１のセルにおけるワイヤレス通信に使用されていないことを記憶している。次いで、第１の基地局は、このパラメータを、第１のセルにおけるワイヤレス通信に第２の範囲の周波数を使用しないものから、第１のセルにおけるワイヤレス通信に第１の範囲の周波数を使用しないものに変更する。
【００３５】
次いで、ステップ１１０で、第１の基地局はローカルエリア最適化アルゴリズムを実行する。このアルゴリズムは、第１の基地局および少なくとも１つのさらなる基地局、例えば、第２の基地局１０２のパラメータを最適化する。アルゴリズムが最適なパラメータは第１の基地局および第２の基地局によって既に使用されていると判定した場合、さらなる最適化は実行されない。アルゴリズムが実行されても、第１のパラメータは固定であり、そのアルゴリズムによって変更されない。また、このアルゴリズムは固定パラメータを考慮し、この固定パラメータの周囲の他のパラメータを最適化する。このアルゴリズムは、この固定パラメータを除き、全てのパラメータを変更する可能性がある。ローカルエリア最適化アルゴリズム１１０は、その他のパラメータを最適化するためにこのことを考慮する。例えば、特定のＳＯＮ方式によるローカルエリア最適化１１０は、第１のパラメータを別の値に変更し、また、第２の基地局における第２のパラメータを別の値に変更するほうがよいと判定する。この場合、基地局１００は、第１のパラメータを変更することができないこと、また、このことが第２の基地局１０２における第２のパラメータは異なる値に最適化されるべきであるか、変更されるべきではないという事実をもたらす可能性があることを知っている。
【００３６】
ローカルエリア最適化アルゴリズム１１０が第２の基地局１０２の第２のパラメータを変更すると判定した場合、第２のメッセージ１１２が第１の基地局１００から第２の基地局１０２に送信される。加えて、第１の基地局１００は、第３のメッセージ１１４を第２の基地局１０２に送信する。第３のメッセージは、第１の基地局１００の第１のパラメータが固定であることを示す。第３のメッセージを第１の信号と呼ぶこともできる。したがって、第２のセルも、第１のセルにおける第１のパラメータが固定であり、変更することができないことを知っている。第１のパラメータの値も、第３のメッセージ１１４を介して送信される。第２の基地局１０２における第１のパラメータおよび第１のパラメータの値についての知識は、第２の基地局１０２における任意選択の追加の最適化アルゴリズムに使用され得る。
【００３７】
ステップ１１６で、第２の基地局１０２は、第２のパラメータを第２のメッセージ１１２に示された値に変更する。このステップは、第１の基地局１００におけるステップ１０８と同様に実行される。加えて、第２の基地局１０２は、第２のセルおよび／または第２のセルの隣接セルにおけるさらなるパラメータを最適化するための別の最適化アルゴリズムを実行することができる。
【００３８】
図２は、本発明による方法の別の実施形態の概略図である。概略図には、やはり、第１の基地局１００、第２の基地局１０２およびネットワーク・エンティティ１０４を有するワイヤレス通信ネットワークが示されている。図２のワイヤレス通信システムは、図１のシステムに類似している。通常、ワイヤレス通信システムにおけるパラメータはＳＯＭ方式によって設定され、ネットワーク・エンティティ１０４を介して第１の固定パラメータを設定することによって、例えば、人による外部の介入が可能である。図１において既に説明したように、第１の固定パラメータは、第１のメッセージ１０６において第１の基地局１００に送信される。次いで、第１の基地局１００は第１のパラメータをステップ１０８で新たに受信された値に変更するか、その値が以前に既に構成されていた場合は、この値が維持されるが、これは固定であり変更することができないとマークされる。この時点で、第２の基地局は、第１の基地局がこのパラメータを固定したことを知らない。次いで、第２の基地局１０２は、パラメータ変更コマンド２００を第１の基地局１００に送る。パラメータ変更コマンド２００は、第１の基地局１００における第１のパラメータを変更することを示す。第２の基地局１０２において最適化アルゴリズムが実行された後、パラメータ変更コマンド２００を、例えば、第２の基地局１０２によって第１の基地局１００に送ることができる。パラメータ変更コマンド２００を第２の信号と呼ぶこともできる。
【００３９】
ステップ２０２で、第１のパラメータが第１の基地局１００において固定であるものとして記憶されているので、第１の基地局１００はパラメータ変更コマンド２００を受け入れないと決定する。言い換えれば、パラメータ変更コマンドは、第１の基地局１００によって拒否される。次いで、第１の基地局１００は、第４のメッセージを第２の基地局１０２に送信する。第４のメッセージ２０４は、変更コマンドの拒否を示す。第４のメッセージは、固定の第１のパラメータの値を示すこともできる。第４のメッセージ２０４を第３の信号と呼ぶこともできる。したがって、第２の基地局１０２は、第４のメッセージ２０４を受信した後に、第１のパラメータが第１の基地局１００において固定であることおよびこの固定パラメータの値を知っている。図１において説明したように、この知識は、第２の基地局１０２において実行されるさらなる最適化アルゴリズムで使用され得る。
【００４０】
ステップ２０６で、第２の基地局１０２は、第１の基地局１００における第１のパラメータの値およびそれが固定パラメータであるという事実についての情報を記憶する。次いで、第２の基地局１０２はパラメータを変更することなく状況を解析し、場合によっては、第１のパラメータの値およびこのパラメータを変更することができないという事実を考慮して、新しい最適化アルゴリズムを再開する。
【００４１】
図３は、図２のワイヤレス通信ネットワークに類似したワイヤレス通信ネットワークの概略図である。運用保守センタ１０４は、第１のメッセージ１０６を送信することによって、第１の基地局１００の第１のパラメータを設定する。次いで、第１のパラメータがステップ１０８で変更され、第１のパラメータを変更した後、第１の基地局１００は第２の基地局１０２からパラメータ変更コマンド２００を受信する。
【００４２】
次いで、ステップ２０２で、第１のパラメータが固定パラメータであるので、第１の基地局１００は第１のパラメータを変更することを拒否する。第１の基地局１００は拒否を第２の基地局１０２に送信しないことに留意されたい。第１の基地局１００は、ステップ２０２で、パラメータ変更コマンドを無視するだけである。
【００４３】
しばらく経つと、第２の基地局１０２は、ステップ３００で、第１の基地局１００が第１のパラメータを変更しなかったことを検出する。これは、例えば、第１の基地局１００がそのパラメータについて第２の基地局１０２に定期的に通知するので、または第１の基地局１００が第１のパラメータを変更した場合にそうなるような第１の基地局１００におけるパラメータ変更についての情報を第２の基地局１０２が受信しなかったので、検出され得る。次いで、ステップ３０２で、第２の基地局は、第１のパラメータが第１の基地局１００において固定であると仮定し、この情報を記憶する。この仮定は、一定の期間の後に改めて再チェックされる。この期間の後、第２の基地局１０２は、このパラメータはもはや固定でなくてもよいとみなし、その後の最適化手順内で再びこのパラメータの柔軟性を保つ。次いで、このことは、第２の基地局が再びパラメータ変更コマンド２００を第１の基地局１００に送ることを再びもたらし得る。
【００４４】
次いで、第２の基地局１０２は、第１の基地局１００の第１のパラメータの値および第１の基地局１００の第１のパラメータが固定であるという事実を考慮して、ローカルエリア最適化２０６を再実行する。このステップは、図２におけるステップ２０６と同様に実行される。
【００４５】
図４は、第１の基地局１００、第２の基地局１０２、ワイヤレス端末４０２、およびネットワーク・エンティティ１０４を含むワイヤレス通信ネットワーク４００のブロック図である。ワイヤレス端末４０２は、例えば、携帯電話、携帯型コンピュータまたはＰＤＡとすることができる。第１の基地局１００および第２の基地局１０２はいずれも、その他の基地局、プロセッサ４０６、データ記憶装置４０８と通信するための第１のインターフェース４０４およびネットワーク・エンティティ１０４と通信するための第２のインターフェース４１０をそれぞれ有する。プロセッサ４０６は、プログラム４１２を実行するように適合される。プログラム４１２は、それぞれのデータ記憶装置４０８に記憶される。ネットワーク・エンティティ１０４は、第１の基地局１００および第２の基地局１０２と通信するための第３のインターフェースを含む。第１の基地局１００および第２の基地局１０２は、それぞれのアンテナ４１６を介してワイヤレス端末４０２と通信する。
【００４６】
動作の際、第１の基地局および第２の基地局は、単独で、自己組織化の方法でそのワイヤレス通信パラメータを調整するように適合される。データ記憶装置４０８におけるプログラム４１２をプロセッサ４０６によって実行することによって、この自己組織化ネットワーク・アルゴリズムが実行される。ネットワーク・エンティティ１０４は、インターフェース４１０および４１４を介して第１の基地局１００および第２の基地局１０２と通信する。ネットワーク・エンティティは第１のメッセージを第１の基地局１００に送るために適合され、第１のメッセージは第１のパラメータを固定値に設定することを示す。次いで、このパラメータは固定であるものとしてデータ記憶装置４０８に記憶される。自己組織化ネットワーク方式によるさらなる最適化アルゴリズムは、基地局１００におけるプロセッサ４０６によっておよび／または基地局１０２におけるプロセッサ４０６によって実行され得る。最適化アルゴリズムに従ってパラメータが変更される場合、それぞれの基地局はインターフェース４０４を介して信号を送信する。固定であるものとして示されていない全てのパラメータを変更することができる。第１の基地局１００からの固定パラメータが変更されるとき、その固定パラメータは変更されず、任意選択でエラーメッセージがインターフェース４０４を介して基地局１００から基地局１０２に送信される。一定の期間の後、この固定パラメータはもはや固定ではなくなる。この場合、固定である第１のパラメータについての情報は第１の基地局１００におけるデータ記憶装置４０８から削除される。
【符号の説明】
【００４７】
１００  第１の基地局
１０２  第２の基地局
１０４  ネットワーク・エンティティ
１０６  第１のメッセージ
１０８  変更パラメータ
１１０  ローカルエリア最適化
１１２  第２のメッセージ
１１４  第３のメッセージ
１１６  変更パラメータ
２００  パラメータ変更コマンド
２０２  パラメータ変更拒否
２０４  第４のメッセージ
２０６  ローカルエリア最適化
３００  拒否の検出
３０２  仮定
４００  ワイヤレス通信ネットワーク
４０２  ワイヤレス端末
４０４  第１のインターフェース
４０６  プロセッサ
４０８  データ記憶装置
４１０  第２のインターフェース
４１２  プログラム
４１４  第３のインターフェース
４１６  アンテナ
【図１】
0005646054.tif 000002
【図２】
0005646054.tif 000003
【図３】
0005646054.tif 000004
【図４】
0005646054.tif 000005